(57)【要約】【課題】  排水トレーが、本体から離れることなく正位置に固定されるとともに、本体から簡便に取り外される空気調和機を提供する。【解決手段】  本体の左右両側には係止部が配置され、これに対応する排水トレーの左右両側には係止部が係合される係止面が設けられる。係止部は、本体から上方に突出してその上端部が本体の前後方に弾性変形可能となり、係止面は、排水トレーの下端から水平に延長形成される。係止部の上端には係止面に係合されるように係止面に向けて水平延長された係止突部が形成されている。【選択図】図２
2006010303.tif 000002
【特許請求の範囲】
【請求項１】
本体と、該本体に設置される熱交換器と排水トレーを備えた空気調和機であって、
この本体と排水トレーのうちいずれか一方には少なくとも一つの係止部が設けられて前記排水トレーが離間されることなく前記本体に固定されることを特徴とする空気調和機。
【請求項２】
前記係止部は、前記本体の前方に配設され、前記排水トレーの前方には前記係止部が係合される係止面が設けられたことを特徴とする請求項１に記載の空気調和機。
【請求項３】
前記係止部は、前記本体から上方に突出されるとともに、その上端部が前記本体の前後方向に弾性変形可能に形成され、前記係止面は、前記排水トレーの下端から水平に延在することを特徴とする請求項２に記載の空気調和機。
【請求項４】
前記係止部の上端には、前記係止面に係合するように前記係止面に向けて係止突部が 水平に延長形成されていることを特徴とする請求項３に記載の空気調和機。
【請求項５】
前記係止突部の上面は、前記係止面に向けて下方に傾いた傾斜面となっていることを特徴とする請求項４に記載の空気調和機。
【請求項６】
前記本体の後方には、少なくとも一つの挿入溝が形成され、前記排水トレーの後方には、前記挿入溝に挿入される少なくとも一つの挿入突起が形成されて、前記排水トレーの後方が、離間されることなく前記本体に固定されることを特徴とする請求項２に記載の空気調和機。
【発明の詳細な説明】
【技術分野】
【０００１】
本発明は、空気調和機に関し、より詳細には、排水トレーを、室内ユニット本体に離れない状態に簡便に固定すると同時に、室内ユニット本体から簡便に取り外せるようにした空気調和機に関する。
【背景技術】
【０００２】
一般に、空気調和機は、蒸発器、凝縮器、及び圧縮器が一つのハウジングの内部に設置されてなる一体型空気調和機と、室内ユニットと室外ユニットとに分離され、室内ユニットには蒸発器が組み込まれ、室外ユニットには凝縮器と圧縮器が組み込まれる分離型空気調和機とに大別される。
【０００３】
分離型空気調和機の室内ユニットは、室内の床に置かれたり、室内の壁や天井に取り付けられたりして室内空間を適度の温度に保持する機能を担う。
かかる空気調和機の室内ユニットは、一般に、送風ファンと熱交換器が設置される本体と、室内空気を前記本体を通して循環させるために本体の前面に結合される前面パネルと、を備える。
【０００４】
また、本体の内部には、熱交換器から発生する凝縮水を受けて本体の外部へ排出するための排水トレーが設置されるが、ここで、排水トレーにより熱交換器の下端部が受容される（例えば、特許文献１参照）。
【０００５】
しかしながら、上記の構成を持つ従来の空気調和機は、排水トレーを正位置に固定させるための構造を持っておらず、排水トレーを本体に組立てた後に、次の組立作業を遂行するさいに排水トレーが正位置に固定されなかったり、冷媒管と排水ホースのような他の部品との干渉により、排水トレーが本体から離れる現象が起こり、組立作業に不具合が生じる、という問題があった。
【特許文献１】特開平１１−２３００２号公報
【発明の開示】
【発明が解決しようとする課題】
【０００６】
本発明は、上記の従来技術の問題点に鑑みてなされたものであり、その目的は、排水トレーを本体に組立てるときに排水トレーを正位置に固定させると同時に、排水トレーが本体から離れるのを防止した空気調和機を提供することにある。
【０００７】
本発明の他の目的は、排水トレーを本体から簡便に取り外すことのできる空気調和機を提供することにある。
【課題を解決するための手段】
【０００８】
上記の目的を達成すべく、本発明は、本体と、該本体に設置される熱交換器と排水トレーを備えた空気調和機であって、この本体と排水トレーのうちいずれか一方には少なくとも一つの係止部が設けられて前記排水トレーが離間されることなく前記本体に固定されることを特徴とする。
【０００９】
前記係止部は、前記本体の前方に配設され、前記排水トレーの前方には前記係止部が係合される係止面が設けられたことを特徴とする。
【００１０】
前記係止部は、前記本体から上方に突出されるとともに、その上端部が前記本体の前後方向に弾性変形可能に形成され、前記係止面は、前記排水トレーの下端から水平に延在することを特徴とする。
【００１１】
前記係止部の上端には、前記係止面に係合するように前記係止面に向けて係止突部が 水平に延長形成されていることを特徴とする。
【００１２】
好ましくは、前記係止突部の上面は、前記係止面に向けて下方に傾いた傾斜面となっている。
【００１３】
また、前記本体の後方には、少なくとも一つの挿入溝が形成され、前記排水トレーの後方には、前記挿入溝に挿入される少なくとも一つの挿入突起が形成されて、前記排水トレーの後方が、離間されることなく前記本体に固定されることを特徴とする。
【発明の効果】
【００１４】
本発明に従う空気調和機によれば、排水トレーが、本体に簡便に結合され、正位置で離間されることなく固定されるため、組立作業が簡便で迅速になるとともに、係止部が弾性構造となっているため、本体からの取り外しが容易であり、分解作業の便宜性を向上することができる。
【発明を実施するための最良の形態】
【００１５】
以下、添付図面を参照しつつ、本発明の好ましい実施の形態について詳細に説明する。
【００１６】
図１は、本発明に従う空気調和機の概略構成を示す分解斜視図である。
【００１７】
図１に示すように、本発明に従う空気調和機は、前方と上方が開放形成された本体１と、該本体１の開放された前方と上方に亘って結合されるフレーム２と、該フレーム２の前面と上面にそれぞれ配置される前面吸入口３ａと上面吸入口３ｂとを備えた前面パネル３と、を含めてなり、略ボックス形状の外観を有する。
【００１８】
フレーム２と前面パネル３との間には前面パネル３に対応する形状を持つフィルター４が配置されて、前面パネル３の前面吸入口３ａと上面吸入口３ｂから流入する空気を浄化する。
【００１９】
本体１の内部には、空気を循環させるための送風ファン６が横方向に長く配設され、該送風ファン６の一端にはこの送風ファン６を駆動させるためのファンモーター７が軸結合されている。
【００２０】
また、送風ファン６とフレーム２との間には、前面パネル３を通して流入した空気を熱交換させるための熱交換器８が配置され、熱交換器８の下部にはこの熱交換器８を通過する空気に含まれた水分が凝結して生成される凝縮水を収集する排水トレー１０が配置される。
【００２１】
次に、図２ないし図４を参照して排水トレー１０が本体１に結合される構造について説明する。
【００２２】
図２は、図１に示した排水トレーが本体から分解された様子を示す斜視図であり、図３は、図２に対応するものであって、排水トレーが本体に結合された様子を示す斜視図であり、図４は、図３の“Ａ”部分を拡大した図である。
【００２３】
図２及び図３に示すように、排水トレー１０は、熱交換器８の下端部を収容し、この熱交換器８から生成される凝縮水が溜まる凝縮水受け部１１と、排水トレー１０の前方下端の左右両側から水平延長された１対の係止面１２と、排水トレー１０の後方から水平に突出した１対の挿入突起３１と、を含む。また、排水トレー１０の一側下端には、凝縮水受け部１１に溜まる凝縮水を本体１の外部に排出するための排水ホース１３が連結されている。
【００２４】
この排水トレー１０が設置される本体１には、排水トレー１０の前方に設けられた１対の係止面１２に対応する位置において上方に突出形成された１対の係止部２０と、排水トレー１０の後方に設けられた１対の挿入突起３１が挿入されるように本体１の後方に形成された１対の挿入溝３０と、が備えられている。
【００２５】
ここで、係止面１２と係止部２０及び挿入溝３０と挿入突起３１はそれぞれ、相互に対応するように配置されるなら排水トレー１０と本体１のいずれかに設けられても構わなく、その個数にも特別な限定はなく、１つ以上であれば本発明の目的を実現することができる。
【００２６】
また、本体１の一側には、排水トレー１０に連結された排水ホース１３を本体１の外側にガイドさせるためのガイド穴３２が形成されている。
【００２７】
図４に示すように、本体１に設けられた係止部２０は、その下端を中心として本体１の前後方へ弾性変形可能に設置され、その上端には排水トレー１０の係止面１２に向けて係止突部２１が水平延長されてなる。
【００２８】
前記係止突部２１の上面は、排水トレー１０の係止面１２に向けて下方に傾いた傾斜面となっており、よって、係止面１２は係止突部２１に容易にかかるようになる。
【００２９】
次に、排水トレー１０の本体１への着脱動作について述べる。まず、排水ホース１３をガイド穴３２に差し込んで配置させた後に、排水トレー１０の各挿入突起３１を本体１の各挿入溝３０に挿入して排水トレー１０を本体１の内部に位置させた後に押下すると、排水トレー１０の係止面１２が係止部２０の係止突部２１の傾斜した上部面に沿って下降しつつ係止部２０を前方に弾性変形させ、これにより、図３に示すように係止面１２が係止突部２１の下端面に係合されるようになる。
【００３０】
このように排水トレー１０が本体１に係合されることで、排水トレー１０は本体１の正位置に固定され、これにより、続く組立過程において他の部品との干渉により排水トレー１０が離間される現象を防ぐことが可能になる。
【００３１】
このように排水トレー１０が本体１に結合された状態で排水トレー１０を本体１から取り外したい場合には、図４に示すように、係止部２０に若干の力を加えて係止部２０を前方に弾性変形させた状態で排水トレー１０を上方に引き上げる。こうすると、係止面１２が係止部２０の係止突部２１から外されつつ排水トレー１０は簡便に分解される。
【図面の簡単な説明】
【００３２】
【図１】本発明に従う空気調和機の概略構成を示す分解斜視図である。
【図２】図１に示した排水トレーが本体から分解された様子を示す斜視図である。
【図３】図２に対応するものであって、排水トレーが本体に結合された様子を示す斜視図である。
【図４】図３の“Ａ”部分を拡大した図である。
【符号の説明】
【００３３】
１  本体
６  送風ファン
７  ファンモーター
８  熱交換器
１０  排水トレー
１２  係止面
２０  係止部
２１  係止突部
３０  挿入溝
３１  挿入突起
【図１】
2006010303.tif 000003
【図２】
2006010303.tif 000004
【図３】
2006010303.tif 000005
【図４】
2006010303.tif 000006